(57)【要約】【課題】オフセットの為に回路の収束値が所望の基準値からズレが生じた場合でもズレを補正し、所望のオプティカルブラックレベルを出力すること。【解決手段】オプティカルブラックレベルを検出するオプティカルブラックレベル検出回路５と、オプティカルブラックレベル検出回路５の出力信号を入力してオプティカルブラックレベルの所望値からの誤差を補正する第１の引き算回路１１と、オプティカルブラックレベル検出回路５の出力信号を入力してオプティカルブラックレベルの所望値からの誤差値を検出する第２の引き算回路１０と、オプティカルブラックレベルの所望値からの誤差値を検出する期間において、外部から与えるラッチ信号によるラッチ前は第１の引き算回路１１にゼロを入力し、ラッチ信号によるラッチ後は第１の引き算回路１１に第２の引き算回路１０によるオプティカルブラックレベルの所望値からの誤差値を与える。【選択図】  図１
2004304224.tif 000002
【特許請求の範囲】
【請求項１】
オプティカルブラックレベルを検出するオプティカルブラックレベル検出回路と、
前記オプティカルブラックレベル検出回路の出力信号を入力して前記オプティカルブラックレベルの所望値からの誤差を補正する第１の引き算回路と、
前記オプティカルブラックレベル検出回路の出力信号を入力して前記オプティカルブラックレベルの前記所望値からの誤差値を検出する第２の引き算回路と、前記オプティカルブラックレベルの前記所望値からの誤差値を検出する期間において、外部から与えるラッチ信号によるラッチ前は前記第１の引き算回路にゼロを入力し、前記ラッチ信号によるラッチ後は前記第１の引き算回路に前記第２の引き算回路による前記オプティカルブラックレベルの前記所望値からの誤差値を与えることを特徴とするオプティカルブラックレベルのキャリブレーション回路。
【請求項２】
オプティカルブラックレベルを検出するオプティカルブラックレベル検出回路と、
前記オプティカルブラックレベル検出回路の出力信号を入力して前記オプティカルブラックレベルの所望値からの誤差を補正する第１の引き算回路と、
前記オプティカルブラックレベル検出回路の出力信号を入力して前記オプティカルブラックレベルの前記所望値からの誤差値を検出する第２の引き算回路とを備え、
前記オプティカルブラックレベルの前記所望値からの誤差値を検出する期間において、外部から与えるラッチ信号によるラッチ前は前記第１の引き算回路にゼロを入力し、前記ラッチ信号によるラッチ後は前記第１の引き算回路に前記第２の引き算回路による前記オプティカルブラックレベルの前記所望値からの誤差値を与えることを特徴とするオプティカルブラックレベルのキャリブレーション方法。
【発明の詳細な説明】
【０００１】
【発明の属する技術分野】
本発明はＣＣＤカメラを用いたデジタルスチルカメラ、ビデオカメラ、携帯電話、監視カメラなどにおけるアナログ信号処理部のＡＤ出力に要求される所望の安定したオプティカルブラックレベル（以下、「ＯＢレベル」という。）の出力の実現に有効なＯＢレベルのキャリブレーション回路および方法に関するものである。
【０００２】
【従来の技術】
以下、従来のＯＢレベルループ回路について説明する。
【０００３】
図２は従来のアナログ信号処理部の回路図であり、１はＣＣＤ、２は相関二重サンプリング回路（以下、「ＣＤＳ回路」という。）、３はゲインコントロールアンプ回路（以下、「ＧＣＡ回路」という。）、４はアナログディジタル変換回路（以下、「ＡＤ回路」という。）、５はＯＢレベル検出回路、６はディジタルアナログ変換回路（以下、「ＤＡＣ回路」という。）、７はコンパレータ回路、８はＯＢレベルループ回路、９はディジタル信号プロセッサ回路（「ＤＳＰ回路」という。）である。
【０００４】
以上のように構成されたアナログ信号処理部の回路のうちＯＢレベルループ回路について説明する。
【０００５】
ＯＢレベルループ回路は、ＡＤ回路の出力が所望のＯＢレベルを出力する為の回路である。ＯＢレベル検出回路５で、ＡＤ回路４のＯＢレベルの出力を検出し、ＤＡＣ回路６でＯＢレベル検出回路５で検出したＯＢレベルをデジタル値からアナログ値へ変換し、コンパレータ回路７で、ある基準値と比較した結果をＧＣＡ回路３にフィードバックする一連の動作をオプティカルブラック（ＯＢ）画素期間に繰り返し実施する事でＡＤ回路４が所望のＯＢレベルを出力することを実現する。
【０００６】
また、文献（特許文献１参照）には、Ｄ−ＲＡＭおよびＣＣＤのオプティカルブラックの平均値と黒レベルの所定値との差値を算出するＯＢ検出部を備えて、デジタル信号に変換したＣＣＤの出力信号をＤ−ＲＡＭに記憶させるとともに、これと並行してＯＢ検出部によつて差値を算出し、算出した差値をＤ−ＲＡＭから１フイ−ルドの信号を読み出す間保持し、読み出した信号を差値で補正して、補正後の信号から映像信号を生成する技術が開示されている。
【０００７】
【特許文献１】
特開平０９−３２６９６２号公報
【０００８】
【発明が解決しようとする課題】
しかしながら上記従来の構成では、ＧＣＡ回路、ＡＤ回路、コンパレータ回路などで生じるオフセットの為に、ＯＢレベルループ回路の収束値が所望のＯＢレベルの基準値からズレるという問題があった。
【０００９】
本発明は上記従来の問題点を解決するもので、上記のオフセットをキャリブレーションすることで、ＡＤ出力からのＯＢレベルが安定した所望の基準値を実現することを目的とする。
【００１０】
【課題を解決するための手段】
この目的を達成するために本発明のオプティカルブラックレベルのキャリブレーション回路は、ＯＢレベル検出回路とＤＡＣ回路の間にＯＢレベルの所望値からのズレを補正する為の第１の引き算回路を追加し、更に前記ＯＢレベル検出回路の出力にオフセットによるＯＢレベルの所望値からの誤差値を検出する第２の引き算回路を追加し、更に第１のラッチ信号によるラッチ前、つまりＯＢレベルキャリブレーション中（前記ＯＢレベル検出回路によるＯＢレベルの所望値からの誤差値検出中）は、前記第１の引き算回路にゼロが入力され、ラッチ後は前記第１の引き算回路に前記第２の引き算回路によるＯＢレベルの所望値からの誤差値を入力することで、ＧＣＡ回路、ＡＤ回路、コンパレータ回路などで生じるオフセットによるＯＢレベルの所望値からのズレを補正し、ＡＤ回路より安定した所望のＯＢレベルを出力することを特徴とする構成を有している。
【００１１】
この構成によって、ＡＤ回路より所望の安定したＯＢレベル出力の実現が必要なＯＢレベルループ回路において、オフセットの為に、ＯＢレベルループ回路の収束値が所望のＯＢレベルの基準値からズレが生じた場合でも、ＯＢレベルの所望値からのズレを補正し、ＡＤ回路より安定した所望のＯＢレベルを出力することができる。
【００１２】
また、この目的を達成するために本発明のオプティカルブラックレベルのキャリブレーション方法は、ＯＢレベル検出回路とＤＡＣ回路の間にＯＢレベルの所望値からのズレを補正する為の第１の引き算回路を追加し、更に前記ＯＢレベル検出回路の出力にオフセットによるＯＢレベルの所望値からの誤差値を検出する第２の引き算回路を追加し、更に第１のラッチ信号によるラッチ前、つまりＯＢレベルキャリブレーション中（前記ＯＢレベル検出回路によるＯＢレベルの所望値からの誤差値検出中）は、前記第１の引き算回路にゼロが入力され、ラッチ後は前記第１の引き算回路に前記第２の引き算回路によるＯＢレベルの所望値からの誤差値を入力することで、ＧＣＡ回路、ＡＤ回路、コンパレータ回路などで生じるオフセットによるＯＢレベルの所望値からのズレを補正し、ＡＤ回路より安定した所望のＯＢレベルを出力することを特徴とする。
【００１３】
この方法によって、ＡＤ回路より所望の安定したＯＢレベル出力の実現が必要なＯＢレベルループ回路において、オフセットの為に、ＯＢレベルループ回路の収束値が所望のＯＢレベルの基準値からズレが生じた場合でも、ＯＢレベルの所望値からのズレを補正し、ＡＤ回路より安定した所望のＯＢレベルを出力することができる。
【００１４】
【発明の実施の形態】
以下本発明の一実施形態について、図面を参照しながら説明する。
【００１５】
図１は本発明の一実施形態におけるアナログ信号処理部回路を示すものである。
【００１６】
図１において、１はＣＣＤ、２はＣＤＳ回路、３はＧＣＡ回路、４はＡＤ回路、５はＯＢレベル検出回路、６はＤＡＣ回路、７はコンパレータ回路、８はＯＢレベルループ回路、９はＤＳＰ回路、１０はＯＢレベルの所望値からのズレを検出する引き算回路、１１はＯＢレベルの誤差値を補正する為の引き算回路、１２はラッチ信号、１３はキャリブレーション回路である。
【００１７】
ここで、図１のキャリブレーション回路を中心に動作説明する。
【００１８】
例えば、ＧＣＡ回路３、ＡＤ回路４、コンパレータ回路７などのオフセットにより、ＯＢレベルループ回路８の収束値が所望値のＯＢレベルよりαのズレが生じたとする。また、所望値のＯＢレベルをＸとする。
【００１９】
ラッチ信号１２によるラッチ前、つまりＯＢレベルキャリブレーション中（前記ＯＢレベル検出回路によるＯＢレベルの所望値Ｘからの誤差値α検出中）は、ＯＢレベルの誤差値αを補正する為の引き算回路１１にゼロが入力されている為、ＯＢレベルループ回路８の収束値は所望値のＯＢレベルＸよりαズレている状態のままである。
【００２０】
つまり、ＯＢレベルループ回路８の収束値はＸ＋αになる。また、ＯＢレベルの所望値Ｘからの誤差値αを検出する引き算回路１０は、ラッチ信号１２によるラッチ前、つまりＯＢレベルキャリブレーション中（前記ＯＢレベル検出回路によるＯＢレベルの所望値Ｘからの誤差値α検出中）は、ＯＢレベルの所望値Ｘからの誤差値αを検出し続けている。
【００２１】
そして、ラッチ信号１２によるラッチ後は、つまりキャリブレーション終了後はＯＢレベルの誤差値αを補正する為の引き算回路１１に、ＯＢレベルの所望値Ｘからの誤差値αを検出する引き算回路１０により検出されたＯＢレベルの所望値Ｘからの誤差値αが入力される。
【００２２】
そして、前記ＯＢレベルの誤差値αを補正する為の引き算回路１１により前記ＯＢレベルループ回路８のＯＢレベルが所望値よりズレた状態の収束値であるＸ＋αから誤差値αを引く事でＯＢレベルの誤差値αは補正され、前記ＯＢレベルループ回路８の収束値は安定した所望値のＯＢレベルＸを実現することができる。
【００２３】
【発明の効果】
以上のように本発明は、所望の安定したＯＢレベル出力の実現が必要なＯＢレベルループ回路において、オフセットの為にＯＢレベルループシステム回路の収束値が所望のＯＢレベルの基準値からズレが生じた場合でも、ＯＢレベルの所望値からのズレを補正し、ＡＤ回路より安定した所望のＯＢレベルを出力することができる。
【図面の簡単な説明】
【図１】本発明のキャリブレーション回路を含んだアナログ信号処理回路の回路構成図
【図２】従来のＯＢレベルループ回路を含んだアナログ信号処理回路図
【符号の説明】
１  ＣＣＤ
２  ＣＤＳ回路
３  ＧＣＡ回路
４  ＡＤ回路
５  ＯＢレベル検出回路
６  ＤＡＣ回路
７  コンパレータ回路
８  ＯＢレベルループ回路
９  ＤＳＰ回路
【図１】
2004304224.tif 000003
【図２】
2004304224.tif 000004